(57)【要約】  システム及び方法がメディアファイルのメタデータを生成する。メタデータはメディアファイルに関する、基づく、及び／又は関連付けられた情報である。メディアファイルのメタデータは、１もしくはそれ以上の端末により検索される。端末に接続可能なデータベースは、メディアファイルの生成の位置、時間及び／又は時間を用いて、特定のイベントをメディアファイルに関連付ける。さらに特定のイベントは、データベースに用いられることで、メディアファイルに関連付けられたキーワードを生成する。その結果、システム及び方法はメディアファイルを整理する及び／又はメディアファイルの検索を提供する。ウェブページはイベントのために生成され、該ウェブページはイベントに関するメディアファイルを累積させる。【選択図】  図１
2011507096.tif 000002
【特許請求の範囲】
【請求項１】
メタデータを生成する方法であって、
複数のイベントのデータベースを提供する段階を備え、前記複数のイベントのそれぞれは、イベント詳細に関連付けられ、
前記方法は、さらに、
第１位置で第１メディアファイルを生成する段階と、
第１コンテンツタグを前記第１メディアファイルに関連付ける段階と、
前記第１コンテンツタグを前記複数のイベントの前記イベント詳細と比較する段階と、
前記複数のイベントから一致するイベントを決定する段階を備え、前記一致するイベントの前記イベント詳細は、前記第１メディアに関連付けられた前記第１コンテンツタグに対応し、
前記方法は、さらに、
第２コンテンツタグを前記第１メディアファイルに関連付ける段階を備え、前記第２コンテンツタグは前記一致するイベントに基づいていて、
前記方法は、さらに、
前記第１メディアファイルと第２メディアファイルを記載するコンテンツリストを作成する段階を備え、前記第２メディアファイルは第３コンテンツタグを有し、
前記方法は、さらに、
パラメータを提供するユーザインプットを受け入れる段階と、
検索結果を表示する段階を備え、前記第２コンテンツタグは前記パラメータと対応する場合、前記検索結果は前記第１メディアファイルを示し、前記第３コンテンツタグが前記パラメータに対応する場合、前記検索結果は前記第２メディアファイルを示すことを特徴とする、メタデータを生成する方法。
【請求項２】
さらに、前記第１メディアファイルが生成された位置を示す段階を備え、前記第１メディアファイルに関連付けられた前記第１コンテンツタグは前記位置を示すことを特徴とする、請求項１記載の方法。
【請求項３】
さらに、前記第１メディアファイルが生成された時間及び日付を示す段階を備え、前記第１メディアファイルに関連付けられた前記第１コンテンツタグが前記時間及び前記日付を示すことを特徴とする、請求項１記載の方法。
【請求項４】
さらに、前記第１メディアファイルを第２位置へと送信する段階を備え、前記第２位置は、前記第１位置に対してリモートであり、そしてさらに、前記第１メディアファイルが、前記コンテンツリストからの前記第１メディアファイルの選択に応じて、送信されることを特徴とする、請求項１記載の方法。
【請求項５】
第４コンテンツタグを有する、新たに利用可能なメディアファイルを示すメッセージを送信する段階を更に備え、前記第４コンテンツタグが前記パラメータと対応することを特徴とする、請求項１記載の方法。
【請求項６】
前記複数のイベントの１つのウェブページを表示する段階をさらに備え、前記第１メディアファイルが前記イベント時に生成されることを前記第１メディアファイルに関連付けられた前記第２コンテンツタグが示す場合、前記第１メディアファイルは前記ウェブページを介して利用可能であることを特徴とする、請求項１記載の方法。
【請求項７】
サーバをネットワークに接続させる段階をさらに備え、端末は前記ネットワークに接続され、そしてさらに、前記サーバは、前記検索結果を前記ネットワークを介して前記端末へと送信することを特徴とする、請求項１記載の方法。
【請求項８】
メタデータを生成する方法であって、
複数のイベントのデータベースを提供する段階を備え、前記複数のイベントのそれぞれは、イベント情報に関連付けられ、
前記方法はさらに、
メディアキャプチャ装置で第１メディアファイルを生成する段階と、
ファイル情報を前記第１メディアファイルと関連付ける段階と、
前記ファイル情報と前記イベント情報を比較する段階と、
前記複数のイベントの１つが一致するイベントかどうかを決定する段階を備え、前記一致するイベントの前記イベント情報が前記ファイル情報に対応し、
前記方法はさらに、
第１タイトルを前記第１メディアファイルに関連付ける段階を備え、前記複数のイベントが前記一致するイベントを有する場合、前記第１タイトルは前記一致するイベントに基づいていて、前記複数のイベントが前記一致するイベントを有さない場合、前記第１タイトルはデフォルトタイトルであって、
前記方法はさらに、
コンテンツタグを前記第１メディアファイルに関連付ける段階を備え、前記コンテンツタグは前記第１タイトルに基づいていることを特徴とする、メタデータを生成する方法。
【請求項９】
ユーザインプットをメディアファイルに関連付けられたコンテンツタグと比較する段階をさらに備え、前記第１メディアファイルに関連付けられた前記コンテンツタグが前記ユーザインプットに対応する場合、前記第１メディアファイルが提供されることを特徴とする、請求項８記載の方法。
【請求項１０】
開催地のウェブページを表示する段階をさらに備え、前記第１メディアファイルが前記開催地で生成されたことを前記コンテンツタグが示す場合、前記第１メディアファイルは前記ウェブページを介して利用可能であることを特徴とする、請求項８記載の方法。
【請求項１１】
前記第１メディアファイルを端末に送信する段階をさらに備え、前記コンテンツタグに対応するユーザインプットに応じて、前記第１メディアファイルが送信されることを特徴とする、請求項８記載の方法。
【請求項１２】
前記メディアキャプチャ装置をネットワークに接続させる段階をさらに備え、前記第１メディアファイルが前記ネットワークを介して、リモート端末へと送信されることを特徴とする、請求項８記載の方法。
【請求項１３】
前記メディアファイルはデジタル写真であることを特徴とする、請求項８記載の方法。
【請求項１４】
メタデータを生成するシステムであって、
ネットワークと、
前記ネットワークに接続されたメディアキャプチャ装置を備え、前記メディアキャプチャ装置は第１メディアファイルを生成し、さらに、前記メディアキャプチャ装置は、前記第１メディアファイルが生成される際に、前記メディアキャプチャ装置の位置を決定し、前記メディアキャプチャ装置は、前記第１メディアファイルが生成された時間と日付を決定し、さらに、前記メディアキャプチャ装置は前記第１メディアファイルを前記ネットワークへと送信し、
前記システムはさらに、
前記ネットワークに接続されたデータベースを備え、前記データベースは複数のイベントを有し、前記複数のイベントのそれぞれは、イベント情報に関連付けられていて、前記データベースは、前記イベント情報を、前記メディアファイルが生成される際の前記メディアキャプチャ装置の前記位置、及び、前記第１メディアファイルが生成された時間及び日付と比較し、前記データベースは、前記第１メディアファイルを前記複数のイベントの一致するイベントに関連付け、さらに前記一致するイベントのイベント情報は、前記第１メディアファイルが生成される際の前記メディアキャプチャ装置の前記位置、及び、前記メディアファイルが生成される時間及び日付と対応し、前記データベースは、第１コンテンツタグを前記第１メディアファイルに関連付け、前記第１コンテンツタグは前記一致するイベントに基づいていることを特徴とする、メタデータを生成するシステム。
【請求項１５】
前記ネットワークに接続された端末をさらに備え、前記ネットワークは、前記第１コンテンツタグに対応するユーザインプットに応じて前記端末へと前記第１メディアファイルを送信することを特徴とする、請求項１４記載のシステム。
【請求項１６】
前記ネットワークによりアクセス可能なウェブページをさらに備え、前記ウェブページは前記複数のイベントの１つに関連付けられたメディアファイルを提供し、前記第１メディアファイルは、前記第１メディアファイルが前記イベント時に生成されることを前記第１メディアファイルに関連付けられた前記第１コンテンツタグが示す場合、前記第１メディアファイルは前記ウェブページを介して利用可能であることを特徴とする、請求項１４記載のシステム。
【請求項１７】
前記第１メディアファイル及び第２メディアファイルを記載するコンテンツリストをさらに備え、前記第２メディアファイルが第２コンテンツタグを備えることを特徴とする、請求項１４記載のシステム。
【請求項１８】
前記メディアキャプチャ装置に関連付けられたカメラをさらに備え、前記カメラは前記第１メディアファイルに関連付けられた画像を生成することを特徴とする、請求項１４記載のシステム。
【請求項１９】
前記メディアキャプチャ装置はＧＰＳレシーバをさらに有し、該レシーバは、前記第１メディアファイルが生成される際、前記メディアキャプチャ装置の前記位置を決定することを特徴とする、請求項１４記載のシステム。
【請求項２０】
前記ネットワークに接続されたコンテンツプロバイダをさらに備え、前記コンテンツプロバイダは、前記第１コンテンツタグがパラメータに対応する場合、前記プロバイダから前記第１メディアファイルの利用可能性を示すメッセージを送信することを特徴とする、請求項１４記載のシステム。
【発明の詳細な説明】
【技術分野】
【０００１】
本出願は、２００７年１２月１２日出願の米国仮特許出願第６１／００７，４０８号の優先権を主張する。
【背景技術】
【０００２】
本発明は、一般的にメタデータ生成のシステム及び方法に関する。より詳細には、本発明は、イベントデータベース（event database）を利用したメディアファイルのメタデータを生成するシステム及び方法に関し、該データベースを用いることで、メディアファイルを整理、インデックス生成及び／又は検索するメタデータのキーワードを提供する。イベントデータベースは、メディアファイルが生成された位置、及び／又はメディアファイルが生成された日付及び／又は時間を用いることにより、メディアファイルに対応する特定のイベントを決定する。特定のイベントのタイトルが、メタデータの一部となり、メディアファイルに対応する特定のイベントを指し示す。特定のイベントに基づき、イベントデータベースはメタデータキーワードを提供する。ネットワークを介して、１もしくはそれ以上のユーザにより端末経由で、メディアファイルのインデックスが生成され、消費され、アクセスされ、及び／又は確認される。イベントのデータベースにより生成されるメタデータ、及び／又はメディアファイルに関連付けられるメタデータに基づき、１もしくはそれ以上のユーザは、ネットワークを介して、キーワードの一致を用いた検索を行って、メディアファイルを獲得及び／又はアクセスを行う。イベントページが提供され、特定のイベントに対応するイベントデータベースにより、特定されるメディアファイルが累積する。
【０００３】
一般的に、従来の装置は、デジタルメディアを記録、保存及び／又は送信する。デジタルメディアキャプチャ装置は、従来においては、基本的なメタデータ、例えば、時間及び／又は日付などを記録する。ユーザはネットワークを介して、端末経由でデータベースからデジタルメディアをダウンロード、表示、アクセス、獲得及び／又は視認する。デジタルメディアキャプチャ装置のアプリケーションにより、一般的に、例えば、マルチメディア・メッセージング・サービス（ＭＭＳ）もしくはハイパーテキスト・トランスファー・プロトコル（ＨＴＴＰ）などのように、ネットワークを越えてデジタルメディアを移動させることが可能である。
【０００４】
グローバル・ポジショニング・システム（以下、「ＧＰＳ」とする）を、多くのモバイル装置へのサポートに加えることで、モバイルアプリケーションの開発に新しい領域を切り開く。例えば、位置情報のアプリケーションなどがあげられ、該位置情報は、デジタルメディアキャプチャ装置により生成されるデジタルメディアに対して提供される。このような事例の１つは、Ｙａｈｏｏ，Ｉｎｃ．（http://zonetag.research.yahoo.com）によるＺｏｎｅＴａｇであり、これは、位置情報にデジタルメディアを関連付けて、デジタルメディアをソーシャルネットワークサイト（social network site）にアップロードする。
【０００５】
ソーシャルネットワークサイトは、ウェブサイトもしくはアプリケーションであり、これは、ソーシャルネットワークサイトの使用者により前もって作られたコンテンツを有するとともに、ソーシャルネットワークサイトの他の使用者と共有するコンテンツを有する。メディアコンテンツは、ユーザにより記述及び／又は分類されている。しばしば、メディアコンテンツは、発信するユーザ及び／又は他のユーザにより入力されたユーザの生成したキーワード（user-created keywords）の形である。一般的に、他のユーザは、アプリケーションを実行することで、データベース内にデジタルメディアを設置し、識別し、及び／又は検索する。検索可能なメディアファイルのインデックスが、アプリケーションにより用いられることで、アクセス可能なメディアコンテンツは、ソーシャルネットワークサイトを経由して、設置される。メディアファイルに関連付けられたメタデータは、キーワードを提供し、該キーワードは、メディアファイルが検索用語と関連付けされていることを示す。デジタルメディアに重点をおく、一般的なソーシャルネットワークは、ＭｙＳｐａｃｅ（ＭｙＳｐａｃｅ，Ｉｎｃ．の登録商標）、Ｆｌｉｃｋｒ（Ｙａｈｏｏ，Ｉｎｃ．の登録商標）及びＹｏｕＴｕｂｅ（ＹｏｕＴｕｂｅ，Ｉｎｃ．の登録商標）を含む。
【０００６】
タグ付けは、キーワードとメディアファイルとの関連付けである。タグ付けは、キーワードとメディアファイルとの間の関連性を強化することも含む。タグ付けは、メディアファイルを分類するメカニズムであり、これにより、メディアファイルは整理され及び／又は検索される。タグ付けは、最も一般的なメディア中心のソーシャルネットワークにおける、整理の主たる基本になっている。
【０００７】
タグ付けの結果、ソーシャルネットワークサイトのユーザは、ソーシャルネットワークサイトによりアクセス可能なメディアコンテンツに関するキーワードを用いてメディアファイルを検索する。しかしながら、デジタルメディアファイルを生成するユーザもまた関連付けされたキーワードを生成しなければならない。従って、マルチメディアファイルに関連付けられる、対応する、及び／又は割り当てられたキーワードは、マルチメディアファイルの特質に基づくと、不正確、信用できない、及び／又は誤りである。さらに、デジタルメディアファイルが生成される際にユーザがキーワードを生成すると、キーワードを生成するための努力及び／又は時間の使用は、デジタルメディアファイルによりキャプチャされたイベントの経験の影響を受ける、変更される及び／又は該経験を損なう。さらに、デジタルメディアファイルが生成される際、ユーザはキーワードを生成することが不可能である。従って、デジタルメディアファイルは、キーワードが欠落するとともに、検索可能なインデックスが提供されない。
【０００８】
従って、メディアファイルのメタデータを生成するシステム及び方法に対するニーズが存在する。さらに、メタデータのキーワードを提供するために、イベントのデータベースを使用する、メディアファイルのメタデータを生成するシステム及び方法に対するニーズが存在する。さらに、メディアファイル、メディアコンテンツ及び／又はマルチメディアのインデックスを生成するために、イベントデータベースを用いる、メディアファイルのメタデータを生成するシステム及び方法に対するニーズが存在する。さらに、特定のイベントタイトルにメディアファイルを関連付ける、メディアファイルのメタデータを生成するシステム及び方法に対するニーズが存在する。そして、メタデータのキーワードの整合性を維持するメディアファイルを生成するシステム及び方法に対するニーズが存在する。そして、ユーザとのやり取りがなくともメタデータを生成する、メディアファイルのメタデータを生成するシステム及び方法に対するニーズが存在する。さらに、イベントのウェブページを生成するメディアファイルのメタデータを生成するシステム及び方法に対するニーズが存在する。該イベントのウェブページは、イベントに関するメディアファイルを累積させる。
【発明の概要】
【課題を解決するための手段】
【０００９】
本発明は、一般的に、メディアファイルのメタデータを生成するシステム及び方法に関する。メタデータは、メディアファイルに関連する、基づく、及び／又は関連付けられた情報である。メディアファイルのメタデータは、１もしくはそれ以上の端末により検索される。端末に接続可能なイベントデータベースは、特定のイベントをメディアファイルに関連付けられるために、メディアファイルの生成の位置、日付及び／又は時間を用いる。さらに、特定のイベントは、データベースに用いられることで、メディアファイルに関連付けられたキーワードを生成する。その結果、システム及び方法は、メディアファイル検索を整理及び／又は提供する。ウェブページは、イベントのために生成され、イベントに関連付けられたメディアファイルを累積させる。このようなウェブページは、特定のユーザにより生成されたイベントに関連付けられたメディアファイルを含む、及び／又は複数のユーザにより生成されたイベントに関連付けられたメディアファイルを含む。
【００１０】
この目的を達成するために、本発明の実施形態において、メタデータを生成する方法が提供される。方法は、複数のイベントのデータベースを提供する段階を備え、前記複数のイベントのそれぞれは、イベント詳細に関連付けられ、前記方法は、さらに、第１位置で第１メディアファイルを生成する段階と、第１コンテンツタグを前記第１メディアファイルに関連付ける段階と、前記第１コンテンツタグを前記複数のイベントの前記イベント詳細と比較する段階と、前記複数のイベントから一致するイベントを決定する段階を備え、前記一致するイベントの前記イベント詳細は、前記第１メディアに関連付けられた前記第１コンテンツタグに対応し、前記方法は、さらに、第２コンテンツタグを前記第１メディアファイルに関連付ける段階を備え、前記第２コンテンツタグは前記一致するイベントに基づいていて、前記方法は、さらに、前記第１メディアファイルと第２メディアファイルを記載するコンテンツリストを作成する段階を備え、前記第２メディアファイルは第３コンテンツタグを有し、前記方法は、さらに、パラメータを提供するユーザインプットを受け入れる段階と、検索結果を表示する段階を備え、前記第２コンテンツタグは前記パラメータと対応する場合、前記検索結果は前記第１メディアファイルを示し、前記第３コンテンツタグが前記パラメータに対応する場合、前記検索結果は前記第２メディアファイルを示すことを特徴とする。
【００１１】
ある実施形態において、方法は前記第１メディアファイルが生成された位置を示す段階を備え、前記第１メディアファイルに関連付けられた前記第１コンテンツタグは前記位置を示すことを特徴とする。
【００１２】
ある実施形態において、方法は前記第１メディアファイルが生成された時間及び日付を示す段階を備え、前記第１メディアファイルに関連付けられた前記第１コンテンツタグが前記時間及び前記日付を示すことを特徴とする。
【００１３】
ある実施形態において、方法は前記第１メディアファイルを第２位置へと送信する段階を備え、前記第２位置は、前記第１位置に対してリモートであり、そしてさらに、前記第１メディアファイルが、前記コンテンツリストからの前記第１メディアファイルの選択に応じて、送信されることを特徴とする。
【００１４】
ある実施形態において、方法は第４コンテンツタグを有する、新たに利用可能なメディアファイルを示すメッセージを送信する段階を備え、前記第４コンテンツタグが前記パラメータと対応することを特徴とする。
【００１５】
ある実施形態において、方法は前記複数のイベントの１つのウェブページを表示する段階を備え、前記第１メディアファイルが前記イベント時に生成されることを前記第１メディアファイルに関連付けられた前記第２コンテンツタグが示す場合、前記第１メディアファイルは前記ウェブページを介して利用可能であることを特徴とする。
【００１６】
ある実施形態において、方法はサーバをネットワークに接続させる段階を備え、端末は前記ネットワークに接続され、そしてさらに、前記サーバは、前記検索結果を前記ネットワークを介して前記端末へと送信することを特徴とする。
【００１７】
本発明のもう１つ別の実施形態において、メタデータを生成する方法が提供される。方法は複数のイベントのデータベースを提供する段階を備え、前記複数のイベントのそれぞれは、イベント情報に関連付けられ、前記方法はさらに、メディアキャプチャ装置で第１メディアファイルを生成する段階と、ファイル情報を前記第１メディアファイルと関連付ける段階と、前記ファイル情報と前記イベント情報を比較する段階と、前記複数のイベントの１つが一致するイベントかどうかを決定する段階を備え、前記一致するイベントの前記イベント情報が前記ファイル情報に対応し、前記方法はさらに、第１タイトルを前記第１メディアファイルに関連付ける段階を備え、前記複数のイベントが前記一致するイベントを有する場合、前記第１タイトルは前記一致するイベントに基づいていて、前記複数のイベントが前記一致するイベントを有さない場合、前記第１タイトルはデフォルトタイトルであって、前記方法はさらに、コンテンツタグを前記第１メディアファイルに関連付ける段階を備え、前記コンテンツタグは前記第１タイトルに基づいていることを特徴とする。
【００１８】
ある実施形態において、方法はユーザインプットをメディアファイルに関連付けられたコンテンツタグと比較する段階を備え、前記第１メディアファイルに関連付けられた前記コンテンツタグが前記ユーザインプットに対応する場合、前記第１メディアファイルが提供されることを特徴とする。
【００１９】
ある実施形態において、方法は開催地のウェブページを表示する段階を備え、前記第１メディアファイルが前記開催地で生成されたことを前記コンテンツタグが示す場合、前記第１メディアファイルは前記ウェブページを介して利用可能であることを特徴とする。
【００２０】
ある実施形態において、方法は前記第１メディアファイルを端末に送信する段階を備え、前記コンテンツタグに対応するユーザインプットに応じて、前記第１メディアファイルが送信されることを特徴とする。
【００２１】
ある実施形態において、方法は前記メディアキャプチャ装置をネットワークに接続させる段階を備え、前記第１メディアファイルが前記ネットワークを介して、リモート端末へと送信されることを特徴とする。
【００２２】
ある実施形態において、前記メディアファイルはデジタル写真であることを特徴とする。
【００２３】
本発明のもう１つ別の実施形態において、メタデータを生成するシステムが提供される。システムはネットワークと、前記ネットワークに接続されたメディアキャプチャ装置を備え、前記メディアキャプチャ装置は第１メディアファイルを生成し、さらに、前記メディアキャプチャ装置は、前記第１メディアファイルが生成される際に、前記メディアキャプチャ装置の位置を決定し、前記メディアキャプチャ装置は、前記第１メディアファイルが生成された時間と日付を決定し、さらに、前記メディアキャプチャ装置は前記第１メディアファイルを前記ネットワークへと送信し、前記システムはさらに、前記ネットワークに接続されたデータベースを備え、前記データベースは複数のイベントを有し、前記複数のイベントのそれぞれは、イベント情報に関連付けられていて、前記データベースは、前記イベント情報を、前記メディアファイルが生成される際の前記メディアキャプチャ装置の前記位置、及び、前記第１メディアファイルが生成された時間及び日付と比較し、前記データベースは、前記第１メディアファイルを前記複数のイベントの一致するイベントに関連付け、さらに前記一致するイベントのイベント情報は、前記第１メディアファイルが生成される際の前記メディアキャプチャ装置の前記位置、及び、前記メディアファイルが生成される時間及び日付と対応し、前記データベースは、第１コンテンツタグを前記第１メディアファイルに関連付け、前記第１コンテンツタグは前記一致するイベントに基づいていることを特徴とする。
【００２４】
ある実施形態において、システムは前記ネットワークに接続された端末を備え、前記ネットワークは、前記第１コンテンツタグに対応するユーザインプットに応じて前記端末へと前記第１メディアファイルを送信することを特徴とする。
【００２５】
ある実施形態において、システムは前記ネットワークによりアクセス可能なウェブページを備え、前記ウェブページは前記複数のイベントの１つに関連付けられたメディアファイルを提供し、前記第１メディアファイルは、前記第１メディアファイルが前記イベント時に生成されることを前記第１メディアファイルに関連付けられた前記第１コンテンツタグが示す場合、前記第１メディアファイルは前記ウェブページを介して利用可能であることを特徴とする。
【００２６】
ある実施形態において、システムは前記第１メディアファイル及び第２メディアファイルを記載するコンテンツリストを備え、前記第２メディアファイルが第２コンテンツタグを備えることを特徴とする。
【００２７】
ある実施形態において、システムは前記メディアキャプチャ装置に関連付けられたカメラを備え、前記カメラは前記第１メディアファイルに関連付けられた画像を生成することを特徴とする。
【００２８】
ある実施形態において、前記メディアキャプチャ装置はＧＰＳレシーバを有し、該レシーバは、前記第１メディアファイルが生成される際、前記メディアキャプチャ装置の前記位置を決定することを特徴とする。
【００２９】
ある実施形態において、システムは前記ネットワークに接続されたコンテンツプロバイダを備え、前記コンテンツプロバイダは、前記第１コンテンツタグがパラメータに対応する場合、前記プロバイダから前記第１メディアファイルの利用可能性を示すメッセージを送信することを特徴とする。
【発明の効果】
【００３０】
従って、本発明の利点は、メディアファイルのメタデータを生成するシステム及び方法を提供することである。
【００３１】
本発明のもう１つ別の利点は、メタデータキーワードを提供するために、イベントデータベースを用いた、メディアファイルのメタデータを生成するシステム及び方法を提供することである。
【００３２】
そして、本発明のもう１つ別の利点は、メディアファイル、メディアコンテンツ及び／又はマルチメディアのインデックスを作成するために、イベントデータベースを用いた、メディアファイルのメタデータを生成するシステム及び方法を提供することである。
【００３３】
さらに、本発明のもう１つ別の利点は、メディアファイルを特定のイベントに関連付ける、メディアファイルのメタデータを生成するシステム及び方法を提供することである。
【００３４】
更なる本発明の利点は、メタデータのキーワードにおける整合性を維持する、メディアファイルのメタデータを生成するシステム及び方法を提供することである。
【００３５】
そして、本発明のもう１つ別の利点は、ソーシャルネットワークサイトのメディアファイルを整理する、メディアファイルのメタデータを生成するシステム及び方法を提供することである。
【００３６】
さらに、本発明のもう１つ別の利点は、ユーザが入力することなくメタデータを生成する、メディアファイルのメタデータを生成するシステム及び方法を提供することである。
【００３７】
本発明のさらなる利点は、メディアファイルを同様のイベントに関する他のメディアファイルとリンク付ける、メディアファイルのメタデータを生成するシステム及び方法を提供することである。
【００３８】
そして、本発明のもう１つ別の利点は、メタデータの標準フォーマットを提供する、メディアファイルのメタデータを生成するシステム及び方法を提供することである。
【００３９】
さらに、本発明の利点は、特定のイベントに関連付けられたメディアファイルを識別する、メディアファイルのメタデータを生成するシステム及び方法を提供することである。
【００４０】
本発明のさらなる特徴及び利点は、本発明の好適な実施形態に記載されている、及び本発明の好適な実施形態及び図面から明らかである。
【図面の簡単な説明】
【００４１】
【図１】図１は、本発明の実施形態におけるメタデータを生成するシステムの黒色の枠で囲まれたダイアグラムを示す。
【図２】図２は、本発明の実施形態のメタデータを生成する方法のフローチャートを示す。
【発明を実施するための形態】
【００４２】
本発明は、一般的にメディアファイルのメタデータを生成するシステム及び方法に関する。メディアファイルのメタデータは、１もしくはそれ以上の端末により検索される。端末に接続可能なデータベースは、メディアファイルを特定のイベントに関連付けるために、位置、日付及び／又は時間の情報を用いる。さらに、メディアファイルに関連付けられた特定のイベントが用いられることで、メディアファイルに関連付けられた他のキーワードが生成される。その結果、システム及び方法は、メディアファイルの検索を整理及び／又は提供する。
【００４３】
数字は部品を示すが、図面を参照すると、図１は、システム（１０）を示し、該システムは、第１端末（１４）と第１データ通信ネットワーク（１８）（以後、「第１ネットワーク（１８）」とする）を接続させる第１サーバ（１２）を有する。第１端末（１４）は、第１サーバ（１２）と接続させる、及び／又は第１サーバ（１２）と通信を行なう。第１端末（１４）は、例えば、コンピュータ端末、モバイル装置、セットトップボックス及び／又は電子装置であり、マルチメディアを送信、受信、処理、受容及び／又は表示することが可能である。セットトップボックスは、マルチメディアを視認、消費及び／又は表示するために、ディスプレイ（図示せず）に接続される。代替的に、セットトップボックスは、例えば、デジタルマルチメディア放送が利用可能なテレビ及び／又は同様のものである。第１端末（１４）は、当業者に周知のマルチメディアを送信、受信、処理及び／又は表示可能な、あらゆる端末であってもよい。
【００４４】
データベース（２０）は、第１端末（１４）及び／又は第１サーバ（１２）に接続される及び／又はアクセス可能である。その結果、データベース（２０）は、第１ネットワーク（１８）により接続可能である。第１端末（１４）は、第１サーバ（１２）及び／又はデータベース（２０）に対してローカル及び／又はリモートである。データベース（２０）は、第１サーバ（１２）に対してローカル及び／又はリモートである。プロバイダ（１６）は、第１ネットワーク（１８）に接続される。プロバイダ（１６）は、例えば、コンテンツサービス、メディアストア及び／又は同様のものである。本発明は、プロバイダ（１６）の特定の実施形態に限定するべきではない。プロバイダ（１６）は、当業者に周知のあらゆるプロバイダであってもよい。
【００４５】
第１ネットワーク（１８）は、例えば、ＩＰネットワーク、ワイヤレスネットワーク、有線ネットワーク、ローカルエリアネットワーク、広域ネットワーク、メトロポリタンエリアネットワーク、ページングネットワーク（paging network）、公衆交換電話網及び／又は同様のものである。本発明は、第１ネットワーク（１８）の特定の実施形態に限定されるべきではない。第１ネットワーク（１８）は、当業者に周知のメディアキャプチャ装置（３０）、第１端末（１４）及び／又は第２端末（２２）との間で通信の接続及び／又は提供可能なあらゆるネットワークであってもよい。
【００４６】
メディアキャプチャ装置（３０）は、第１ネットワーク（１８）に接続される。メディアキャプチャ装置（３０）は、第１ターミナル（１４）と同様の装置である。メディアキャプチャ装置（３０）は、デジタルカメラ、カムコーダ、携帯情報端末（「ＰＤＡ」）、４Ｇ携帯装置、３Ｇ携帯装置、２．５Ｇ携帯装置、インターネットプロトコル（以後、「ＩＰ」）、ビデオ携帯電話（video cellular telephone）、ＡＬＬ−ＩＰ電子装置、ラップトップコンピュータ及び／又は同様のものである。メディアキャプチャ装置（３０）は、図２の段階（１０１）に示すように、マルチメディアを生成及び／又は保存する。マルチメディアは、デジタルメディアであり、例えば、デジタル写真、楽曲、ラジオプログラム、文章（text composition）、オーディオブック、オーディオプログラム、テレビプログラム、映画、ミュージックビデオ、アニメ作品、ビデオプログラム、オーディオビジュアル作品のビデオゲーム及び／又はサウンドトラック及び／又はビデオトラック、ドラマ作品、映画音楽及び／又はオペラ及び／又は同様のものである。本発明は、デジタルメディアファイル及び／又はメディアキャプチャ装置（３０）の特定の実施形態に限定されない。デジタルメディアファイルは、当業者に周知のあらゆるデジタルメディアであり、メディアキャプチャ装置（３０）は、当業者に周知のあらゆるメディアキャプチャ装置である。メディアキャプチャ装置（３０）はデジタルメディアファイルを、第１ネットワーク（１８）を介して第１端末（１４）に移動させる。
【００４７】
メディアキャプチャ装置（３０）は、第２サーバ（３１）に接続される。第２サーバ（３１）はデジタルメディアファイル及び／又はメタデータを、メディアキャプチャ装置（３０）から第１ネットワーク（１８）に移動させる。データベース（２０）は、メディアキャプチャ装置（３０）及び／又は第１端末（１４）に保存される。
【００４８】
メタデータは、メディアキャプチャ装置（３０）により生成されたデジタルメディアファイルに関連付けられる。メタデータは、メディアファイルに関する、基づく及び／又は関連付けられた情報、メッセージ及び／又はデータである。メタデータは、標準的なデータフォーマットでフォーマットされる。例えば、ＸＭＬ、ＲＤＦ、ＲＳＳ、ＭａｔｈＭＬ、ＸＨＴＭＬ、ＳＶＧ、ｃＸＭＬ及び／又は同様のものである。メタデータは第１コンテンツタグを有する。第１コンテンツタグは、位置情報、時間情報及び／又は日付情報を有する。位置情報は、メディアキャプチャ装置におけるＧＰＳレシーバにより提供される。ＧＰＳ衛星は地球軌道に位置し、シグナルをＧＰＳレシーバに対して提供する。シグナルは、ＧＰＳレシーバの座標を提供する。従って、メディアキャプチャ装置は、ＧＰＳレシーバにより提供される座標を用いて、図２の段階（１０２）で示すように、デジタルメディアファイルの位置メタデータを生成する。
【００４９】
データベース（２０）は、図２の段階（１０３）に示すように、位置情報、日付情報、及び／又は時間情報に基づいて特定する。特定のイベントタイトルは、特定される特定のイベントに基づいてデジタルメディアファイルに関連付けられる。メタデータは、特定のイベントタイトルを組み込む。例えば、データベースは、位置情報、日付情報及び／又は時間情報を用いて、メディアキャプチャ装置（３０）によりキャプチャされる特定のスポーツイベントを決定する。特定のスポーツイベントタイトルは、デジタルメディアファイルに関連付け、例えば、デジタルメディアファイルは、参加したチーム、スタジアム、結果及び／又は同様のものを示す。特定のスポーツイベントのタイトルは、メタデータの一部となる。更なる例として、データベースは位置情報、日付情報及び／又は時間情報を用いて、メディアキャプチャ装置（３０）によりキャプチャされた特定のコンサート公演を決定する。特定の公演タイトルは、デジタルメディアファイルに関連付け、例えば、デジタルメディアファイルは、音楽アーティスト、開催地、アルバムの名前及び／又は同様のものを示す。特定の公演タイトルは、メタデータの一部となる。
【００５０】
特定のイベントタイトルが生成不可能な場合、デフォルトのイベントタイトルが図２の段階（１０４）に示すように、生成される。例えば、データベース（２０）はデジタルメディアファイルで記録されたイベントの入力がない場合、デフォルトのイベントタイトルがメディアキャプチャ装置（３０）の位置情報に基づいて、生成される。これにより、イベントタイトルは関心の隣接する位置、例えば、スタジアム、コンサート開催地、観光地、都市名及び／又は同様のものを示す。更なる例として、デフォルトのイベントタイトルは、固定されたデフォルトタイトルであり、該タイトルは、データベース（２０）及び／又はメディアキャプチャ装置（３０）のユーザにより構築されている。さらに、デフォルトのイベントタイトルは、本明細書において特定されていないもう1つ別のアルゴリズムにより生成される。本発明は、デフォルトのイベントタイトルを生成するのに用いられるアルゴリズムの特定の実施形態に限定されるべきでない。
【００５１】
メタデータは、第２コンテンツタグを有し、該タグは、図２の段階（１０５）に示すような特定のイベントタイトルに基づいて、生成される。第２コンテンツタグは、データベース（２０）により提供される。メタデータの第２コンテンツタグは、例えば、デジタルメディアファイルのクリエータ、出版者もしくは版権所有者、デジタルメディアファイルに関するジャンル、デジタルメディアファイルに記録されるイベントとしてのスポーツの種類、デジタルメディアファイルに記録される音楽の種類、デジタルメディアファイルに関する音楽アーティストもしくはバンド、デジタルメディアファイルの時間の長さ、ウェブサイトのリンク、デジタルメディアファイルの論評、デジタルメディアファイルのソース及び／または同様のものである。
【００５２】
図１を再び参照すると、第２端末（２２）は第３サーバ（１３）と通信する。第２端末（２２）は、メディアキャプチャ装置（３０）及び／又は第１端末（１４）に対して、ローカルもしくはリモートである。デジタルメディアファイルは、第１ネットワーク（１８）を介して、第１端末（１４）、第２端末（２２）及びメディアキャプチャ装置（３０）の間を、移動、送信、共有及び／又は交換される。その結果、ユーザはデジタルメディアファイルをアクセス、表示、視認及び／又は送信する。
【００５３】
第２端末（２２）は、例えば、コンピュータ端末、モバイル装置、セットトップボックス、取り外し可能な保存装置及び／又は電子装置であり、これらは、マルチメディア及び／又はメタデータを送信、受信、処理、受容及び／又は表示可能である。セットトップボックスは、デジタルメディアファイルを視認及び／又は表示するためのディスプレイ（図示せず）に接続される。取り外し可能な保存装置は、デジタルメディアファイルを視認及び／表示するためのソフトウェア命令を処理及び／又は実行することが可能である。第１端末（１４）及び第２端末（２２）は、当業者に周知のデジタルメディアファイルを送信、受信処理及び／又は表示することが可能なあらゆる端末である。
【００５４】
第２端末（２２）は、第２データ通信ネットワーク（以後、「第２ネットワーク（４０）」）を介して、メディアキャプチャ装置（３０）と接続及び／又は通信される。第２ネットワーク（４０）は、例えば、ＩＰネットワーク、ワイヤレスネットワーク、有線ネットワーク、パーソナルエリアネットワーク、ローカルエリアネットワーク、メトロポリタンエリアネットワーク、広域ネットワーク、ページングネットワーク、公衆交換電話網及び／又は同様のものである。本発明は、第２ネットワーク（４０）の特定の実施形態に限定されるべきでない。第２ネットワーク（４０）は、当業者に周知だが、メディアキャプチャ装置（３０）及び第２端末（２２）との間の通信を接続及び／又は提供することが可能である。
【００５５】
データベース（２０）は、デジタルメディアファイルに関連付けられたメタデータを提供する。第１端末（１４）は、第１サーバ（１２）及び／又は第１ネットワーク（１８）を介して、デジタルメディアファイルに関連付けられた、特定のイベントタイトル及び／又はメタデータのコンテンツタグにアクセスする。第２端末（２２）は、第３サーバ（１３）及び／又は第２ネットワーク（４０）を介して、デジタルメディアファイルに関連付けられた、メタデータの特定のイベントタイトル及び／又はコンテンツタグにアクセスする。検索用語が特定のイベントタイトル及び／又はコンテンツタグと一致する場合、デジタルメディアファイルの利用可能性が、検索の結果を受けて、第１端末（１４）及び／又は第２端末（２２）に対して表示される。第１端末（１４）及び／又は第２端末（２２）はデジタルメディアファイル及び／又は関連付けられた特定のイベントタイトル、コンテンツタグ及び／又は他のメタデータを集約、保存及び／又は整理する。第１端末（１４）及び／又は第２端末（２２）は、所有する内部メディアコンテンツ、他の端末のメディアコンテンツ及び／又は分離された外部サイト、例えば、第２サーバ（３１）及び／又はリモート形態のデータベース（２０）を検索するために、検索クエリを実行する。第１端末（１４）及び／又は第２端末（２２）は、ユーザが関与することなく、及び／又はユーザが操作することなく、特定のイベントタイトル及び／又はコンテンツタグに基づいて、デジタルメディアファイルを保存及び／又は整理する。その結果、システム（１０）は、特定のイベントタイトル及び／又はコンテンツタグに基づいて、デジタルメディアファイルのインデックス作成、該メディアファイルを送信、及び／又は整理する。
【００５６】
特定のイベントタイトル及び／又はコンテンツタグは、生成される、及び／又は、メディアキャプチャ装置（３０）でデジタルメディアファイルに関連付けられる。連続的に、デジタルメディアファイル及び／又はメタデータは、第１ネットワーク（１８）及び／又は第２ネットワーク（４０）を用いて、送信される。代替的に、デジタルメディアファイルは、第２サーバ（３１）及び／又は第１ネットワーク（１８）に送信され、データベース（２０）の使用により生成されたメタデータを取得する。特定のイベントタイトル及び／又はコンテンツタグの、デジタルメディアファイルへの関連付けは、デジタルメディアファイルが生成される際、若しくはその後の、第２サーバ（３１）との接続が確立される際に行われる。
【００５７】
第１端末（１４）及び／又は第２端末（２２）は、図２の段階（１０６）で示すように、コンテンツリストを生成及び／又は保存する。コンテンツリストは、メタデータの特定のイベントタイトル及び／又はコンテンツタグに基づいている。コンテンツリストの検索は、段階（１０７）で示すように検索用語を用いて実行される。一致するデジタルメディアファイルは、段階（１０８）に示すように、検索用語と一致するイベントタイトル及び／又はコンテンツタグを有する。一致するデジタルメディアファイルは、第１端末（１４）、第２端末（２２）及び／又は第１ネットワーク（１８）によりアクセスされ、第１端末（１４）、第２端末（２２）及び／又は第１ネットワーク（１８）に対して提供され、第１端末（１４）、第２端末（２２）及び／又は第１ネットワーク（１８）へと移動され、ダウンロードされ、及び／又は送信される。第１端末（１４）及び／又は第２端末（２２）は、デジタルメディアファイルを表示し、それに対し、特定のイベントタイトル及び／又はコンテンツタグが検索用語と一致する。
【００５８】
ユーザは第１端末（１４）及び／又は第２端末（２２）を用いて、コンテンツリストを検索し、デジタルメディアファイルを特定、アクセス、ダウンロード及び／又は消費する。例えば、メタデータの特定のイベントタイトル及び／又は第２コンテンツタグを用いることで、ユーザは特定のイベントもしくは開催地でキャプチャされたデジタル写真のリスト、アーティストの歌のリスト、テレビプログラムのエピソード、特定のスポーツチームにより行われる試合、及び／又は俳優により作られる映画のリストを獲得、取得及び／又は生成する。デジタルメディアファイルは、第１端末（１４）及び／又は第２端末（２２）に対してリモートで保存される。ユーザは、デジタルメディアファイルにアクセス及び／又は表示する前に、マルチメディアを消費する権利を有することが要求される。ユーザは、デジタルメディアファイルにアクセス及び／又は表示する前に、プロバイダ（１６）に加入すること及び／又は会員継続を要求される。
【００５９】
第２端末（２２）は、第２ネットワーク（４０）を介して、メタデータのデジタルメディアファイル及び／又は第１タグを共有する、移動させる、及び／又は送信する。データベース（２０）は、第１ネットワーク（１８）を介して第２端末（２２）によりアクセスされる。従って、第２端末は、第２ネットワーク（４０）を介してデジタルメディアファイルを取得し、連続的に特定のイベントタイトル及び／又はコンテンツタグを、デジタルメディアファイルに関連付ける。
【００６０】
第１ネットワーク（１８）に接続されたプロバイダ（１６）は、ソーシャルコミュニティウェブサイトを提供するコンテンツプロバイダである。ソーシャルコミュニティウェブサイトは、ウェブサイト及び／又はアプリケーションであり、ソーシャルコミュニティウェブサイトのユーザにより前もって生成されたコンテンツである。ソーシャルコミュニティウェブサイトのコンテンツは、ソーシャルコミュニティウェブサイトの他のユーザと共有される。ソーシャルコミュニティウェブサイトは、ユーザ間におけるメッセージのフォーラムを提供する。これらのサービスは、メッセージボード、イーメールリスト、チャットルーム、個人のホームページ及び／又はウェブログを含む。ソーシャルコミュニティウェブサイトのユーザは、各自ホームページを有し、様々なデジタルメディアファイルを提供する。第１端末（１４）及び／又は第２端末（２２）は、第１ネットワーク（１８）を介してプロバイダ（１６）からソーシャルコミュニティウェブサイトにアクセスする。第２端末（２２）は、第１ネットワーク（１８）を介してプロバイダ（１６）からソーシャルコミュニティウェブサイトにアクセスし、第２ネットワーク（４０）を介してメディアキャプチャ装置（３０）にアクセスすることで、メディアキャプチャ装置（３０）から取得したデジタルメディアファイルを、ソーシャルコミュニティウェブサイトへとアップロードする。
【００６１】
ソーシャルコミュニティウェブサイトのユーザは、第１端末（１４）及び／又は第２端末（２２）のアプリケーションを実行することで、プロバイダ（１６）のソーシャルコミュニティウェブサイトのデジタルメディアファイルを配置、識別及び／又は検索する。検索可能なメディアファイルのインデックスが用いられることで、デジタルメディアファイルを配置する。検索可能なインデックスは、メタデータの特定のイベントタイトル及び／又はコンテンツタグに基づいている。メタデータの特定のイベントタイトル及び／又はコンテンツタグに基づき、プロバイダ（１６）は、ソーシャルコミュニティウェブサイトのユーザの共有の関心に関するマルチメディアの特別リストを作成する。例えば、プロバイダ（１６）は、共有のミュージシャンによるコンサート公演のリストを保存する。コンサート公演のリストは、デジタルメディアファイルの特定のイベントタイトル及び／又はメタデータのコンテンツタグから識別される。プロバイダ（１６）はユーザに対してメッセージを送信し、新しいデジタルメディアファイルがアップロードされたことを示す。新しいデジタルメディアファイルの特定のイベントタイトル及び／又はコンテンツタグと一致するキーワードを指定したユーザは、新しいデジタルメディアファイルの利用可能性を示すメッセージを受信する。ユーザは、コンテンツリストの定期的なアップデートを受信し、該コンテンツリストは、ユーザの検索用語と一致する特定のイベント及び／又はコンテンツタグを有するデジタルメディアファイルを識別するものである。
【００６２】
特定のイベントタイトルは、ユーザの生成するタグから生じる検索問題を防ぐ。例えば、ユーザの生成したタグは、開催地の名前を有していない。開催地の名前を用いた検索は、開催地の名前を有さないユーザの生成したタグを有するマルチメディアを提供しない。データベース（２０）により提供された特定のイベントタイトル及び／又はコンテンツタグは、特定のイベントのデジタルメディアファイルと、一貫したタイトルを関連付けることにより、及び／又は、関連するキーワードを有する一貫したコンテンツタグを提供することにより、このような問題を防ぐ。
【００６３】
プロバイダ（１６）は、１もしくはそれ以上の特定のイベントに対応するウェブページを生成する。ウェブページは、特定のイベントに関するデジタルメディアファイルを累積させる。特定のイベントに関するデジタルメディアファイルは、ウェブページ上に提供される。ソーシャルコミュニティウェブサイトのユーザが、特定のイベントに関心を有することを示した場合、プロバイダ（１６）は、ソーシャルコミュニティウェブページのユーザに、イベントに特化されたウェブページのアップデートを通知する。従って、特定のイベントに関するすべてのデジタルメディアファイルの集まりが、ソーシャルコミュニティウェブサイトの１つの位置に表示される。例えば、特定のイベントに関するデジタルメディアファイルは、ハイパーリンクを介してウェブページから、ソーシャルコミュニティウェブサイトの他のウェブページへとアクセスされる。ウェブページの特定のイベントに対応するデジタルメディアファイルは、デジタルメディアファイルの特定のイベント及び／又はコンテンツタグをウェブページの特定のイベントと一致することに基づき、ウェブページ上に提供される。
【００６４】
例えば、ソーシャルコミュニティウェブサイトのプロバイダ（１６）は、特定のコンサート公演に対応するウェブページを生成する。ソーシャルコミュニティウェブサイトで保存されるデジタルメディアファイルの特定のイベントタイトルに基づいて、特定のコンサート公演に対応するデジタルメディアファイルは、特定のコンサート公演に対応するウェブページに提供される。ミュージシャンに関心を示すソーシャルコミュニティウェブサイトのユーザは、ウェブページ及び／又はウェブページ上の新しいデジタルメディアファイルについて知らされる。
【００６５】
本明細書記載の本発明の好適な実施形態に対する、様々な変更および改良は、当業者にとっては明らかである。このような変更及び改良は、本発明の精神及び範囲を逸脱するものではく、本発明の付随する利点を減少させるものではない。したがって、このような変更及び改良は添付の特許請求の範囲に含まれる。
【図１】
2011507096.tif 000003
【図２】
2011507096.tif 000004
【国際調査報告】
2011507096.tif 000005